(57)【要約】【課題】  複数の分岐管の流路の切り替え操作が容易になる医療用活栓を提供すること。【解決手段】  医療用活栓本体１０を、内面が略球面状に形成されたチャンバー部１１と、チャンバー部１１からそれぞれ外側に延びる上流分岐管１２、下流分岐管１３および合流分岐管１４で構成した。また、弁体２０を略球形の弁本体２１と棒状操作部２２とで構成した。そして、チャンバー部１１に内面から外部に貫通するガイド孔１５を設けて、弁本体２１を、チャンバー部１１内に入れ、棒状操作部２２をガイド孔１５から外部に突出させた。また、弁本体２１に、水平流路２３と垂直流路２４を形成して、棒状操作部２２をガイド孔１５に沿って移動させることにより、水平流路２３と垂直流路２４を介して、上流分岐管１２、下流分岐管１３および合流分岐管１４のうちの所定の分岐管どうしを連通させたり遮断させたりできるようにした。【選択図】  図５
2008188371.tif 000002
【特許請求の範囲】
【請求項１】
内面が略球面状に形成された空間部と前記内面の所定部分から外部に貫通するガイド孔とを備えたチャンバー部と、前記チャンバー部の外周面から互いの間隔を保ってそれぞれ外側に向って延び前記チャンバー部の内部と連通する流路をそれぞれ備えた複数の分岐管とからなる医療用活栓本体と、
前記チャンバー部内に設置され所定部分に流路が形成された略球体からなり前記チャンバー部の内面に沿って回転移動することにより、前記流路を介して前記複数の分岐管のうちの所定の分岐管どうしを連通させたり遮断させたりできる弁本体と、前記弁本体の外周面から前記ガイド孔を貫通して外部に延び前記ガイド孔に沿って移動することにより、前記弁本体の流路を前記複数の分岐管のうちの所定の分岐管に連通させたり遮断させたりする棒状操作部とからなる弁体と
を備えたことを特徴とする医療用活栓。
【請求項２】
前記複数の分岐管を、前記チャンバー部の外周面の両側から外側に向って延びる一対の水平分岐管と、前記チャンバー部の外周面の上側から上方に延びる垂直分岐管とで構成し、前記弁本体の流路を、前記一対の水平分岐管を連通させたり遮断させたりできる水平流路と、前記水平流路と前記垂直分岐管とを連通させたり遮断させたりできる垂直流路とで構成した請求項１に記載の医療用活栓。
【請求項３】
前記ガイド孔を、水平方向に延びる水平ガイド孔と、前記水平ガイド孔の略中央から上方または下方に延びる垂直ガイド孔とで構成し、前記棒状操作部を前記水平ガイド孔に沿って移動させることにより前記一対の水平分岐管を連通させたり遮断させたりすることができ、前記棒状操作部を前記垂直ガイド孔に沿って移動させることにより前記水平流路と前記垂直分岐管とを連通させたり遮断させたりできるようにした請求項２に記載の医療用活栓。
【請求項４】
前記複数の分岐管を、前記チャンバー部の外周面の両側から外側に向って延びる一対の水平分岐管と、前記チャンバー部の外周面の上側から上方に延びる垂直分岐管とで構成し、前記弁本体の流路を、前記一対の水平分岐管を連通させたり遮断させたりできる水平流路と、前記水平流路と前記垂直分岐管とを常時連通させる垂直流路とで構成した請求項１に記載の医療用活栓。
【請求項５】
前記ガイド孔を、水平方向に延びる水平ガイド孔で構成し、前記棒状操作部を前記水平ガイド孔に沿って移動させることにより前記一対の水平分岐管を連通させたり遮断させたりできるようにした請求項４に記載の医療用活栓。
【請求項６】
前記弁本体の水平流路における前記一対の水平分岐管の流路とそれぞれ対向する両側部分を、前記弁本体の水平流路を前記一対の水平分岐管の流路とそれぞれ連通させた状態から、前記弁本体を水平方向の一方に所定角度回転したときに、前記水平流路と前記一対の分岐管の一方分岐管の流路とが連通状態を維持して、前記水平流路と前記一対の分岐管の他方の分岐管の流路とが遮断され、前記弁本体を水平方向の他方に所定角度回転したときに、前記水平流路と前記他方の分岐管の流路とが連通状態を維持して、前記水平流路と前記一方の分岐管の流路とが遮断されるように構成した請求項２ないし５のうちのいずれか一つに記載の医療用活栓。
【発明の詳細な説明】
【技術分野】
【０００１】
本発明は、医療に用いられる複数の輸液チューブ等に連結される複数の分岐管を備え、各分岐管の連通、遮断の状態を切り替えることのできる医療用活栓に関する。
【背景技術】
【０００２】
従来から、複数の輸液チューブを用いて患者の体内に薬液等の液体を供給することが行われており、このような場合に、医療用活栓を用いて、各輸液チューブ間を連通させたり遮断させたりする操作が行われている。このような医療用活栓の中に、チャンバー部を円筒状に形成して、操作部をチャンバー部の軸周り方向に移動させることにより各分岐管とチャンバー部との間を連通させたり遮断させたりすることのできる医療用活栓がある（例えば、特許文献１参照）。この医療用活栓は、略円筒状のチャンバー部の周面を挟んで二つの分岐管が設けられ、チャンバー部内で弁体を軸周り方向に回転させることにより二つの分岐管の間を開閉できるように構成されている。
【特許文献１】特開昭６２―１７２９６２号公報
【発明の開示】
【０００３】
しかしながら、この医療用活栓は、二つの分岐管しか備えてなく、単に、二つの分岐管の間を連通させたり遮断させたりできるだけのものである。したがって、この医療用活栓では、医療に用いられる複数ラインの輸液チューブ等を連結して、各輸液チューブの連通、遮断を切り替えることはできない。また、二つの分岐管の間を連通させたり遮断させたりするためには、弁体を回転操作しなければならず、操作がし難いという問題もある。このため、３個の分岐管を備えコックを弁体の軸周り方向に回転操作することにより流路を切り換えることのできる医療用活栓も開発されているが、このような医療用活栓においても、操作の際に、一方の手で医療用活栓の本体を持ち、他の手でコックの操作を行う必要があるため操作が面倒になるという問題がある。
【０００４】
本発明は、このような事情に鑑みなされたもので、その目的は、複数の分岐管の流路の切り替え操作が容易になる医療用活栓を提供することにある。
【０００５】
前述した目的を達成するため、本発明に係る医療用活栓の構成上の特徴は、内面が略球面状に形成された空間部と内面の所定部分から外部に貫通するガイド孔とを備えたチャンバー部と、チャンバー部の外周面から互いの間隔を保ってそれぞれ外側に向って延びチャンバー部の内部と連通する流路をそれぞれ備えた複数の分岐管とからなる医療用活栓本体と、チャンバー部内に設置され所定部分に流路が形成された略球体からなりチャンバー部の内面に沿って回転移動することにより、流路を介して複数の分岐管のうちの所定の分岐管どうしを連通させたり遮断させたりできる弁本体と、弁本体の外周面からガイド孔を貫通して外部に延びガイド孔に沿って移動することにより、弁本体の流路を複数の分岐管のうちの所定の分岐管に連通させたり遮断させたりする棒状操作部とからなる弁体とを備えたことにある。
【０００６】
前述したように構成した本発明の医療用活栓では、複数の分岐管が設けられた医療用活栓本体の内部に内面が略球面状に形成された空間部を設け、この空間部内に、複数の分岐管のうちの所定の分岐管どうしを連通させたり遮断させたりできる流路を備えた略球形の弁本体を設置している。そして、弁本体からチャンバー部に形成されたガイド孔を貫通して外部に延びる棒状操作部をガイド孔に沿って移動させることにより弁本体をチャンバー部内で回転させて、弁本体の流路を介して複数の分岐管のうちの所定の分岐管を連通させたり遮断させたりするように構成されている。
【０００７】
このため、各分岐管間の切り替え操作が棒状操作部をガイド孔に沿って移動させるだけで済み、その際の棒状操作部の移動は弁本体を支点とした回転であるため片手での操作が可能になる。すなわち、チャンバー部を持った手の親指で棒状操作部を操作することができる。また、流路が形成される弁本体の所定部分としては、弁本体の内部と表面とのどちらでもよく、流路は弁本体を貫通する孔や弁本体の表面に沿って形成された溝部で構成することができる。さらに、チャンバー部の内面の略球面状や弁本体の略球体とは、全体としては球面や球体であるが、孔が設けられたり流路が設けられたりして完全な球面や球体になってないことを意味しており、弁本体はチャンバー部の内面に摺接した状態で回転可能になっている。
【０００８】
また、本発明に係る医療用活栓の他の構成上の特徴は、複数の分岐管を、チャンバー部の外周面の両側から外側に向って延びる一対の水平分岐管と、チャンバー部の外周面の上側から上方に延びる垂直分岐管とで構成し、弁本体の流路を、一対の水平分岐管を連通させたり遮断させたりできる水平流路と、水平流路と垂直分岐管とを連通させたり遮断させたりできる垂直流路とで構成したことにある。
【０００９】
これによると、弁本体をチャンバー部内で水平方向の所定位置に合わせることにより水平流路を一対の水平分岐管に連通させ、その状態で、弁本体を垂直方向の所定位置に合わせて垂直流路を垂直分岐管に連通させることにより、一対の水平分岐管と垂直分岐管とのすべてを弁本体の流路を介して連通させることができる。これによって、患者の体に水平分岐管と垂直分岐管から二種類の薬液等を供給することができる。また、その状態で弁本体を水平方向の一方に回転移動させることにより一対の水平分岐管の一方を遮断することができ、弁本体を水平方向の他方に回転移動させることにより一対の水平分岐管の他方を遮断することができる。さらに、一対の水平分岐管と垂直分岐管とのすべてを連通させた状態で、弁本体を垂直方向に回転移動させることにより垂直分岐管を遮断することができる。
【００１０】
また、本発明に係る医療用活栓のさらに他の構成上の特徴は、ガイド孔を、水平方向に延びる水平ガイド孔と、水平ガイド孔の略中央から上方または下方に延びる垂直ガイド孔とで構成し、棒状操作部を水平ガイド孔に沿って移動させることにより一対の水平分岐管を連通させたり遮断させたりすることができ、棒状操作部を垂直ガイド孔に沿って移動させることにより水平流路と垂直分岐管とを連通させたり遮断させたりできるようにしたことにある。
【００１１】
この場合、棒状操作部が、水平ガイド孔と垂直ガイド孔とが交差した部分に位置したときに、一対の水平分岐管と垂直分岐管とのすべてが連通し、その位置から棒状操作部が移動したときに、その移動方向に位置する分岐管が遮断されたり連通されたりするようにすることができる。これによると、棒状操作部の位置で各分岐管どうしの連通と遮断との関係がわかるため、誤操作を防止できる。
【００１２】
また、本発明に係る医療用活栓のさらに他の構成上の特徴は、複数の分岐管を、チャンバー部の外周面の両側から外側に向って延びる一対の水平分岐管と、チャンバー部の外周面の上側から上方に延びる垂直分岐管とで構成し、弁本体の流路を、一対の水平分岐管を連通させたり遮断させたりできる水平流路と、水平流路と垂直分岐管とを常時連通させる垂直流路とで構成したことにある。この場合、ガイド孔を、水平方向に延びる水平ガイド孔で構成し、棒状操作部を水平ガイド孔に沿って移動させることにより一対の水平分岐管を連通させたり遮断させたりできるようにする。
【００１３】
この場合、垂直分岐管には、シリンジの雄ルアー部や穿刺針等を挿し込むことのできるゴム栓を取り付けることができる。これによると、弁本体をチャンバー部内で水平方向の所定位置に合わせることにより一対の水平分岐管間を連通させたり遮断させたりすることができ、必要に応じて、垂直分岐管から他の薬液等をチャンバー部内に供給することができる。
【００１４】
また、本発明に係る医療用活栓のさらに他の構成上の特徴は、弁本体の水平流路における一対の水平分岐管の流路とそれぞれ対向する両側部分を、弁本体の水平流路を一対の水平分岐管の流路とそれぞれ連通させた状態から、弁本体を水平方向の一方に所定角度回転したときに、水平流路と一対の分岐管の一方分岐管の流路とが連通状態を維持して、水平流路と一対の分岐管の他方の分岐管の流路とが遮断され、弁本体を水平方向の他方に所定角度回転したときに、水平流路と他方の分岐管の流路とが連通状態を維持して、水平流路と一方の分岐管の流路とが遮断されるように構成したことにある。
【００１５】
この場合の所定角度とは、例えば、水平流路と一対の水平分岐管とがそれぞれ連通したときに、一対の水平分岐管の流路の開口全体が水平流路に対向しているとして、一方の分岐管の流路を遮断する場合には、弁本体の外周面における移動長さが一方の分岐管の流路の幅以上になるようにし、他方の分岐管の流路を遮断する場合には、弁本体の外周面における移動長さが他方の分岐管の流路の幅以上になるようにする。したがって、一方の分岐管の流路の幅と他方の分岐管の流路の幅とが異なっていれば、それぞれの所定角度は異なっていてもよい。
【００１６】
また、水平流路を弁本体を貫通する孔で構成する場合には、水平流路の両端開口側部分を中央側部分よりも水平方向に長い孔に形成することで水平流路と一対の水平分岐管との間をそれぞれ連通させたり遮断させたりすることができる。さらに、水平流路を弁本体弁本体の表面に沿って形成された溝部で構成する場合には、水平流路と一対の水平分岐管とがそれぞれ連通したときに、水平流路の両端部がそれぞれ一対の分岐管の流路の開口に位置するようにすることで水平流路と一対の水平分岐管との間をそれぞれ連通させたり遮断させたりすることができる。
【発明を実施するための最良の形態】
【００１７】
（第１実施形態）
以下、本発明の第１実施形態に係る医療用活栓を図面を用いて詳しく説明する。図１ないし図３は、同実施形態に係る医療用活栓Ａを示しており、この医療用活栓Ａは、医療用活栓本体１０と、医療用活栓本体１０の内部に設置された弁体２０とで構成されている。医療用活栓本体１０は、略球状のチャンバー部１１と、チャンバー部１１の外周面における前後両側（図１および図２では左右両側で、以下、薬液等の流れの上流側に位置する方向を後方とし、下流側に位置する方向を前方として説明する。）に同軸に沿って水平方向に延びるように連結された本発明の一対の水平分岐管としての上流分岐管１２および下流分岐管１３と、チャンバー部１１の外周面における上部に形成された本発明の垂直分岐管としての合流分岐管１４とで構成されている。
【００１８】
すなわち、上流分岐管１２、下流分岐管１３および合流分岐管１４はチャンバー部１１の外周面に円周方向に９０度の間隔を保って設けられており、合流分岐管１４は、水平方向に延びる上流分岐管１２と下流分岐管１３とに対して直交するように上方に向って延びている。チャンバー部１１は略球形に形成されており、内部に、図４ないし図６に示したように、内周面が略球面状に形成された空間部１１ａが形成されている。また、チャンバー部１１の側面（図２に示した面）における上下方向の中央には、前後方向に延びる水平ガイド孔１５ａがチャンバー部１１の内部から外部に貫通して形成されており、その水平ガイド孔１５ａの前後方向の中央から上方に向ってチャンバー部１１の内部から外部に貫通する垂直ガイド孔１５ｂが延びている。
【００１９】
さらに、チャンバー部１１におけるそれぞれ上流分岐管１２、下流分岐管１３および合流分岐管１４に対向する部分に、連通穴１６ａ，１６ｂ，１６ｃが形成されている。そして、チャンバー部１１の外周面における連通穴１６ａに対応する部分には、上流分岐管１２が設けられており、連通穴１６ａを介してチャンバー部１１内の空間部１１ａと上流分岐管１２の内部に形成された流路１２ａとが連通している。また、チャンバー部１１の外周面における連通穴１６ｂに対応する部分には、下流分岐管１３が設けられており、連通穴１６ｂを介してチャンバー部１１内の空間部１１ａと下流分岐管１３の内部に形成された流路１３ａとが連通している。
【００２０】
さらに、チャンバー部１１の外周面における連通穴１６ｃに対応する部分には、合流分岐管１４が設けられており、連通穴１６ｃを介してチャンバー部１１内の空間部１１ａと合流分岐管１４の内部に形成された流路１４ａとが連通している。また、上流分岐管１２は、チャンバー部１１と一体的に形成されており、内部に形成された流路１２ａは、後端開口側の直径が大きくチャンバー部１１側の直径が小さくなったテーパ状に形成されている。
【００２１】
これをより詳しく説明すると、この流路１２ａは、連通穴１６ａ側部分が、連通穴１６ａに近いほど直径が小さく、連通穴１６ａから離れるにしたがって直径が大きくなったやや急なテーパ状に形成されている。また、流路１２ａの上流側部分（図４および図５の右側部分）は、上流分岐管１２の開口部に近づくほど徐々に直径が大きくなった緩やかなテーパ状に形成されている。そして、上流分岐管１２の開口部の外周面には、連結用のねじ部１２ｂが形成されている。
【００２２】
下流分岐管１３は、チャンバー部１１と一体的に形成されており、チャンバー部１１側に位置する基端部１３ｂと、先端側に位置し基端部１３ｂよりも細く形成された雄ルアー部１３ｃとで構成されている。また、雄ルアー部１３ｃは基端部１３ｂ側よりも先端側の方が徐々に細くなった先細りのテーパ状に形成されている。そして、下流分岐管１３の外周面における基端部１３ｂと雄ルアー部１３ｃとの境界部には、突部１３ｄが円周に沿って形成されている。
【００２３】
チャンバー部１１の上方に形成された合流分岐管１４は、太さや軸方向の長さが上流分岐管１２と略同じ程度の円筒形に形成されている。この合流分岐管１４の内部に形成された流路１４ａは、連通穴１６ｃ側部分が、連通穴１６ｃに近いほど直径が小さく、連通穴１６ｃから離れるにしたがって直径が大きくなったやや急なテーパ状に形成されている。そして、流路１４ａの上流側部分（図５の上側部分）は、合流分岐管１４の開口部に近づくほど徐々に直径が大きくなった緩やかなテーパ状に形成されている。そして、合流分岐管１４の開口部の外周面には、連結用のねじ部１４ｂが形成されている。
【００２４】
弁体２０は、チャンバー部１１の空間部１１ａに設置された略球形の弁本体２１と、弁本体２１から水平ガイド孔１５ａと垂直ガイド孔１５ｂとで構成されるガイド孔１５を貫通して外部に延びる棒状操作部２２とで構成されている。弁本体２１は、外面をチャンバー部１１の内面に摺接させた状態でチャンバー部１１内に設置されており、球状の中心を中心としてチャンバー部１１に対してすべての方向に回転可能になっているが、その回転範囲は、棒状操作部２２とガイド孔１５との係合によって規制される。
【００２５】
そして、弁本体２１の内部には、図４ないし図６に示したように、弁本体２１を貫通して前後方向に延びる水平流路２３と、水平流路２３の前後方向の中央から弁本体２１の上部に貫通する垂直流路２４とが形成されている。水平流路２３は、前後方向に延びる細い円柱状の空間部２３ａの前後両端にそれぞれ一方の側部側（図４における上部側）に延びる円弧状の広角空間部２３ｂ，２３ｃを形成して構成されている。広角空間部２３ｂ，２３ｃは、それぞれ高さ方向の幅を空間部２３ａの幅と同じにした状態でチャンバー部１１の内面に沿うようにして互いに対向して延びている。
【００２６】
そして、広角空間部２３ｂの水平方向の幅は、連通穴１６ａの直径の略２倍に設定され、広角空間部２３ｃの水平方向の幅は、連通穴１６ｂの直径の略２倍に設定されている。このため、図４に示したように、棒状操作部２２を、水平ガイド孔１５ａの中央に位置させたときには、広角空間部２３ｂの空間部２３ａ側部分と連通穴１６ａとが対向し、広角空間部２３ｃと連通穴１６ｂとが連通する。これによって、上流分岐管１２の流路１２ａと下流分岐管１３の流路１３ａとは、弁本体２１の水平流路２３を介して連通する。
【００２７】
また、図７に示したように、棒状操作部２２を、水平ガイド孔１５ａの前端側に位置させたときには、広角空間部２３ｂの先端側部分と連通穴１６ａとが対向し、広角空間部２３ｃはチャンバー部１１の内面に閉塞され、連通穴１６ｂは弁本体２１の外面に閉塞される。このため、上流分岐管１２の流路１２ａと弁本体２１の水平流路２３とは連通するが、弁本体２１の水平流路２３と下流分岐管１３の流路１３ａとは遮断された状態になる。さらに、図８に示したように、棒状操作部２２を、水平ガイド孔１５ａの後端側に位置させたときには、広角空間部２３ｂはチャンバー部１１の内面に閉塞され、連通穴１６ａは弁本体２１の外面に閉塞される。
【００２８】
また、広角空間部２３ｃの先端側部分は連通穴１６ｂと対向して連通する。このため、上流分岐管１２の流路１２ａと弁本体２１の水平流路２３とは遮断された状態になり、弁本体２１の水平流路２３と下流分岐管１３の流路１３ａとは連通する。垂直流路２４は、上下方向に延びる細い円柱状の空間部で構成されており、直径が空間部２３ａの直径および連通穴１６ｃの直径と同じに設定されている。また、垂直流路２４の上端開口は、棒状操作部２２が水平ガイド孔１５ａの中央に位置したときに、連通穴１６ｃと連通する位置に形成されている。
【００２９】
したがって、図４および図９に示した状態のときには、水平流路２３を介して上流分岐管１２と下流分岐管１３とが連通し、垂直流路２４を介して合流分岐管１４の流路１４ａと水平流路２３とが連通する。このため、上流分岐管１２、下流分岐管１３および合流分岐管１４のすべてが弁本体２１の水平流路２３および垂直流路２４を介して連通する。そして、図１０に示したように、棒状操作部２２を垂直ガイド孔１５ｂの上端側に移動させると、垂直流路２４の上端開口はチャンバー部１１の内面に閉塞され、連通穴１６ｃは弁本体２１の外面に閉塞される。このため、合流分岐管１４の流路１４ａと弁本体２１の垂直流路２４とは遮断された状態になる。
【００３０】
この場合、弁本体２１は、空間部２３ａの中心軸を中心として軸周り方向に回転するだけであるため、水平流路２３を介して上流分岐管１２と下流分岐管１３とが連通した状態に変化は生じない。なお、図４、図７および図８においては、垂直流路２４は、図に示した部分の上方に位置している。また、棒状操作部２２は、弁本体２１の外面から外部に向って延びる円柱状の連結部２２ａと、連結部２２ａの先端部に形成された略円板状のグリップ部２２ｂとで構成されている。そして、グリップ部２２ｂを指で操作して棒状操作部２２をガイド孔１５に沿って移動させることにより、前述したように、上流分岐管１２、下流分岐管１３および合流分岐管１４間の連通、遮断の切り替えが行える。
【００３１】
この構成において、所定の薬液を患者（図示せず）の体内に供給する場合には、上流分岐管１２と合流分岐管１４とに、それぞれ患者に供給する薬液を収容する容器等から延びる輸液チューブの先端部に設けられた雄ルアー部（図示せず）を接続する。また、下流分岐管１３には、患者に穿刺して留置するための留置針が接続された輸液チューブ（図示せず）の後端部を接続する。そして、留置針を患者の体に穿刺して留置した状態で、棒状操作部２２を操作して、例えば、垂直ガイド孔１５ｂの上端側に移動させて上流分岐管１２側に接続された容器等の薬液を患者に向けて送り出すことにより患者への薬液の供給が上流分岐管１２から下流分岐管１３を介して行われる。
【００３２】
また、上流分岐管１２側から供給される薬液に加えて、他の薬液等を患者に供給する場合には、合流分岐管１４を介して、他の薬液等を垂直流路２４内に供給する。この場合、棒状操作部２２を垂直ガイド孔１５ｂの下端部（水平ガイド孔１５ａの中央）に移動させた状態で合流分岐管１４に接続された容器等の薬液を合流分岐管１４側に送り出す。これによって、上流分岐管１２側から供給される薬液と合流分岐管１４側から供給される薬液とは、水平流路２３で混合されて患者の体内に供給される。
【００３３】
また、その状態から、棒状操作部２２を水平ガイド孔１５ａの後端側に移動させて、図８の状態にすることにより、上流分岐管１２側からの薬液の供給を止めて、合流分岐管１４側からの薬液だけを患者の体内に供給することができる。さらに、棒状操作部２２を水平ガイド孔１５ａの前端側に移動させて、図７の状態にすることにより、下流分岐管１３側への薬液の供給を止めるとともに、合流分岐管１４側からの薬液を上流分岐管１２側に流して、上流分岐管１２側で、上流分岐管１２側の薬液と合流分岐管１４からの薬液とを混合することができる。そして、混合された薬液は、再度、下流分岐管１３を水平流路２３に連通させることにより患者の体内に供給することができる。
【００３４】
このように、本実施形態に係る医療用活栓Ａでは、チャンバー部１１の内部に内面が略球面状に形成された空間部１１ａを設け、この空間部１１ａ内に、略球形の弁本体２１を設置している。また、弁本体２１は、外面をチャンバー部１１の内面に対して摺接させた状態で回転可能な状態で設置されており、その内部には、上流分岐管１２と下流分岐管１３とを連通させたり遮断させたりすることのできる水平流路２３と、合流分岐管１４と水平流路２３との間を連通させたり、遮断させたりすることのできる垂直流路２４とが形成されている。
【００３５】
また、チャンバー部１１には、水平ガイド孔１５ａと垂直ガイド孔１５ｂとからなるガイド孔１５が形成されており、弁本体２１からガイド孔１５を貫通して外部に延びる棒状操作部２２をガイド孔１５に沿って移動させることにより、上流分岐管１２と下流分岐管１３との連通、遮断や、合流分岐管１４と水平流路２３との間の連通、遮断の操作が行える。このため、上流分岐管１２、下流分岐管１３および合流分岐管１４の各間の切り替え操作が棒状操作部２２をガイド孔１５に沿って移動させるだけで済むようになり、片手での操作が可能になる。
【００３６】
また、棒状操作部２２が、水平ガイド孔１５ａと垂直ガイド孔１５ｂとが交差した部分に位置したときに、上流分岐管１２、下流分岐管１３および合流分岐管１４のすべてが連通し、その位置から棒状操作部２２が前後または上方に移動したときに、いずれかの分岐管が遮断される。この場合、その遮断される分岐管のほうに棒状操作部２２が向くように構成されているため、棒状操作部２２の向きによって、上流分岐管１２、下流分岐管１３および合流分岐管１４のそれぞれの連通と遮断との状態がわかる。このため、誤操作を防止できるようになる。
【００３７】
（第２実施形態）
また、図１１は、本発明の第２実施形態に係る医療用活栓Ｂを示している。この医療用活栓Ｂでは、チャンバー部３１の上部に形成された連通穴３６ｃの直径が大きくなり、かつその周面はチャンバー部３１側が大きく上部側に行くほど小さくなったテーパ状に形成されている。そして、チャンバー部３１の上方に形成された合流分岐管３４は、前述した合流分岐管１４よりも直径が大きく軸方向の長さが短い円筒形に形成されている。また、この合流分岐管３４の内部に形成された流路３４ａの周面は、連通穴３６ｃのテーパ面と連続したテーパ面に形成されており連通穴３６ｃに近いほど直径が大きく、連通穴３６ｃから離れるにしたがって直径が小さくなっている。
【００３８】
そして、流路３４ａの上方側部分は、流路３４ａの上端から外部にかけて直径が同じになった開口で構成されている。また、合流分岐管３４の上端開口部の外周面には、連結用のねじ部３４ｂが形成されている。そして、合流分岐管３４の内部の上端には、天然ゴムまたは合成ゴムからなるゴム栓３７が取り付けられている。このゴム栓３７には、チャンバー部３１の内部側と合流分岐管３４の外部側との間を上下に貫通するスリット３７ａが設けられており、このスリット３７ａは、合流分岐管３４を使用しない時には、ゴム栓３７の弾性によって閉塞された状態になる。
【００３９】
そして、合流分岐管３４を使用する際には、ゴム栓３７のスリット３７ａに、例えば、シリンジの雄ルアー部等（図示せず）を差し込むことによりシリンジと流路３４ａとを連通することができる。また、図示していないが、チャンバー部３１に形成されたガイド孔は、垂直ガイド孔がなく水平ガイド孔だけで構成されている。このため、弁本体３５が回転することによって、上流分岐管３２と下流分岐管３３との間の連通、遮断の操作が行われ、弁本体３５に形成された垂直流路３８は常時流路３４ａと連通している。この医療用活栓Ｂのそれ以外の部分の構成は、前述した医療用活栓Ａと同一である。したがって、同一部分に同一符号を記して説明は省略する。
【００４０】
このように構成したため、ゴム栓３７のスリット３７ａにシリンジの雄ルアー部を差し込んだ状態で、棒状操作部２２を水平ガイド孔の中央に移動させることにより、シリンジを、上流分岐管３２および下流分岐管３３に連通させることができる。これによって、患者の体に２種類の薬液等を供給することができる。また、その状態でシリンジを取り外してゴム栓３７を閉塞することにより、上流分岐管３２と下流分岐管３３だけを連通させることができる。さらに、ゴム栓３７のスリット３７ａにシリンジの雄ルアー部を差し込んだ状態で、上流分岐管３２と水平流路２３との間を遮断することにより、シリンジと下流分岐管３３だけを連通させることができる。
【００４１】
これらにより、患者の体に１種類の薬液等を供給することができる。また、ゴム栓３７のスリット３７ａにシリンジの雄ルアー部を差し込んだ状態で、水平流路２３と下流分岐管３３との間を遮断することにより、シリンジと上流分岐管３２だけを連通させることができる。さらに、その状態で、シリンジを取り外すことにより、上流分岐管３２、下流分岐管３３および合流分岐管３４のすべての流路を閉塞することができる。この医療用活栓Ｂのそれ以外の作用効果は、前述した医療用活栓Ａと同様である。
【００４２】
また、本発明に係る医療用活栓は、前述した実施形態に限定するものでなく、適宜変更実施が可能である。例えば、前述した各実施形態では、水平流路２３および垂直流路２４を弁本体２１，３５の内部に設けているが、この水平流路と垂直流路は、弁本体の表面に沿って形成することもできる。また、前述した各実施形態では、複数の分岐管を上流分岐管１２（３２）、下流分岐管１３（３３）および合流分岐管１４（３４）の３個の分岐管で構成しているが、これを２個の分岐管で構成することもできる。
【００４３】
さらに、前述した第２実施形態では、ゴム栓３７にスリット３７ａを設けて、スリット３７ａに雄ルアー部を差し込むことにより、シリンジを合流分岐管３４に連通させるようにしているが、シリンジに代えて、コネクターの差込部、注射針や鈍針等の針等をゴム栓３７に差し込むこともできる。なお、注射針を差し込む場合、ゴム栓３７に、スリット３７ａを設ける必要はなくなる。さらに、医療用活栓を構成するそれ以外の部分の構成についても適宜変更して実施することができる。
【図面の簡単な説明】
【００４４】
【図１】本発明の第１実施形態に係る医療用活栓を示した平面図である。
【図２】医療用活栓を示した側面図である。
【図３】医療用活栓を示した背面図である。
【図４】図１の横断面図である。
【図５】図２の縦断面図である。
【図６】図３の縦断面図である。
【図７】上流分岐管と合流分岐管とを連通させた状態を示した横断面図である。
【図８】下流分岐管と合流分岐管とを連通させた状態を示した横断面図である。
【図９】水平流路と合流分岐管とを連通させた状態を示した縦断面図である。
【図１０】水平流路と合流分岐管とを遮断させた状態を示した縦断面図である。
【図１１】本発明の第２実施形態に係る医療用活栓の上流分岐管と下流分岐管とを連通させた状態を示した縦断面図である。
【符号の説明】
【００４５】
１０…医療用活栓本体、１１，３１…チャンバー部、１１ａ…空間部、１２，３２…上流分岐管、１２ａ，１３ａ，１４ａ，３４ａ…流路、１３，３３…下流分岐管、１４，３４…合流分岐管、１５…ガイド孔、１５ａ…水平ガイド孔、１５ｂ…垂直ガイド孔、２０…弁体、２１，３５…弁本体、２２…棒状操作部、２３…水平流路、２４，３８…垂直流路、Ａ，Ｂ…医療用活栓。
【図１】
2008188371.tif 000003
【図２】
2008188371.tif 000004
【図３】
2008188371.tif 000005
【図４】
2008188371.tif 000006
【図５】
2008188371.tif 000007
【図６】
2008188371.tif 000008
【図７】
2008188371.tif 000009
【図８】
2008188371.tif 000010
【図９】
2008188371.tif 000011
【図１０】
2008188371.tif 000012
【図１１】
2008188371.tif 000013